(57)【要約】【課題】  部屋の改装工事、隣接する部屋の間の改装工事などを簡単に行えるコンクリート製集合住宅を提供する。【解決手段】  コンクリート製の構造垂直柱部３と、構造垂直柱部３の間を格子状に連結するコンクリート製の構造水平梁部５と、構造垂直柱部３と構造水平梁部５とで区画された左右、前後、上下の複数の室領域７間に設けられた木製の壁体部９とで構成されている。【選択図】  図１
2007100357.tif 000002
【特許請求の範囲】
【請求項１】
垂直に立設された複数本のコンクリート製の構造垂直柱部と、これらの構造垂直柱部間を格子状に連結するコンクリート製の構造水平梁部と、前記構造垂直柱部と構造水平梁部とで区画された左右、前後及び上下の複数の室領域間に設けられた木製の壁体部とからなることを特徴とするコンクリート製集合住宅。
【請求項２】
請求項１記載のコンクリート製集合住宅であって、
前記壁体部が上下の室領域間を区画する上下壁と、左右・前後の室領域間を区画する左右前後壁とからなり、前記上下壁及び前記左右前後壁は木材で形成されていることを特徴とするコンクリート製集合住宅。
【請求項３】
請求項１または請求項２に記載のコンクリート製集合住宅であって、
前記壁体部が、複数本の棒体と、これらの棒体に固定されて床部または天井部または左右前後壁部を形成する板材とからなることを特徴とするコンクリート製集合住宅。
【請求項４】
請求項３に記載のコンクリート製集合住宅であって、
前記棒体は、複数本に分割された小寸法棒体と、これらの小寸法棒体を連結する連結手段とからなることを特徴とするコンクリート製集合住宅。
【請求項５】
請求項３または請求項４に記載のコンクリート製集合住宅であって、
前記棒体は、前記構造水平梁部に固定手段を介して固定され、前記固定手段は、前記構造水平梁部に固定されたブラケットと、このブラケットの挿入固定板部が挿入される棒体端部のスリットと、このスリットに挿入された挿入固定板部を棒体に固定するボルトとからなることを特徴とするコンクリート製集合住宅。
【請求項６】
請求項１〜請求項５のいずれか一項に記載のコンクリート製集合住宅であって、
前記室領域内に設けられて室領域内を間仕切り可能な木材からなる室内壁が設けられていることを特徴とするコンクリート製集合住宅。
【発明の詳細な説明】
【技術分野】
【０００１】
本発明は、コンクリート製集合住宅に関する。
【背景技術】
【０００２】
特許文献１に「複層戸建てコンクリート住宅」が記載されており、特許文献２に「耐力梁と耐力柱を持たない複層コンクリート住宅」が記載されている。
【０００３】
前者は、ボックス型の外壁構造体に建築法で要求される強度を与え、その内部で木造または鉄骨造りの床組を支持したことにより、自由な床組と間仕切りの構築を可能にし、多様な改装、特に、上下空間の設定が自由に行えるとしている。
【０００４】
また、後者は、コンクリート製の耐力壁で天井と床と左右壁を形成し、各部屋を環状にしたことによって前面と後面を解放し、前面と後面の設計の自由度を高くしている。
【特許文献１】特開２００３−１９３６９１号公報
【特許文献２】特開２００１−３２３６６号公報
【発明の開示】
【発明が解決しようとする課題】
【０００５】
ところが、特許文献１の技術では、改装に当たって、例えば、鉄骨造りの床組を用いて上下の空間を設定する場合、空間内に鉄製の柱材（鉄骨）を搬入して加工するので、工事が大掛かりになり、大きな作業音の発生や、粉塵の飛散が避けられない上に、長尺な鉄骨は搬入が不可能な場合もあり、改装の自由度はそれだけ低い。
【０００６】
また、特許文献２の技術では、左右や上下の部屋を繋げて１空間にする場合、コンクリート製の耐力壁を崩す必要があるから簡便な改装は不可能であると共に、上記と同様に、工事が大掛かりになり、大きな作業音や、粉塵の飛散が避けられない。
【０００７】
そこで、本発明は、部屋の改装工事、あるいは、隣接する部屋の間の改装工事を自由に、また、簡単に行うことができるコンクリート製集合住宅の提供を目的とする。
【課題を解決するための手段】
【０００８】
請求項１のコンクリート製集合住宅は、垂直に立設された複数本のコンクリート製の構造垂直柱部と、これらの構造垂直柱部間を格子状に連結するコンクリート製の構造水平梁部と、前記構造垂直柱部と構造水平梁部とで区画された左右、前後及び上下の複数の室領域間に設けられた木製の壁体部とからなることを特徴とする。
【０００９】
請求項２の発明は、請求項１に記載のコンクリート製集合住宅であって、前記壁体部が上下の室領域間を区画する上下壁と、左右・前後の室領域間を区画する左右前後壁とからなり、前記上下壁及び前記左右前後壁は木材で形成されていることを特徴とする。
【００１０】
請求項３の発明は、請求項１または請求項２に記載のコンクリート製集合住宅であって、前記壁体部が、複数本の棒体と、これらの棒体に固定されて床部または天井部または左右前後壁部を形成する板材とからなることを特徴とする。
【００１１】
請求項４の発明は、請求項３に記載のコンクリート製集合住宅であって、前記棒体は、複数本に分割された小寸法棒体と、これらの小寸法棒体を連結する連結手段とからなることを特徴とする。
【００１２】
請求項５の発明は、請求項３または請求項４に記載のコンクリート製集合住宅であって、前記棒体は、前記構造水平梁部に固定手段を介して固定され、前記固定手段は、前記構造水平梁部に固定されたブラケットと、このブラケットの挿入固定板部が挿入される棒体端部のスリットと、このスリットに挿入された挿入固定板部を棒体に固定するボルトとからなることを特徴とする。
【００１３】
請求項６の発明は、請求項１〜請求項５のいずれか一項に記載のコンクリート製集合住宅であって、前記室領域内に設けられて室領域内を間仕切り可能な木材からなる室内壁が設けられていることを特徴とする。
【発明の効果】
【００１４】
請求項１に記載のコンクリート製集合住宅は、コンクリート製の構造垂直柱部及び構造水平梁部とで基本的な左右及び前後及び上下の各室領域を構成し、この室領域の間を木製の壁体部で区画して各部屋を形成している。
【００１５】
木製の壁体部は、工場で予め製造する必要がなく、現場で加工（組み立てまたは改修）することが可能であるから、壁体部に手を入れるだけで改装工事が可能になり、例えば、隣接する部屋の間の改装工事、あるいは、左右や上下の部屋を繋げて１空間（１住戸）にするような改装工事をも低コストで容易に行うことができる。
【００１６】
また、木製の壁体部には、不燃性の木材や通常の木材などを含む各種の木材を、場所や用途やコストに応じて自由に選択できるから、本発明による改装工事は自由度が極めて高く低コストである。
【００１７】
また、各従来例と異なって、長尺な鉄骨の搬入、鉄骨の加工、コンクリート製耐力壁の破壊などを伴う大掛かりな工事が不要であり、作業音の発生や粉塵の飛散が大幅に低減されるから、遮音や粉塵飛散防止のための現場の遮蔽工事がそれだけ簡素化され、コストがさらに低減される。
【００１８】
請求項２に記載のコンクリート製集合住宅は、請求項１の構成と同等の効果が得られる。
【００１９】
請求項３のコンクリート製集合住宅は、請求項１または請求項２の構成と同等の効果が得られる。
【００２０】
また、棒体に板材を固定して壁体部にする請求項３の構成では、棒体と板材の各材料をそれぞれ自由に選択して組み合わせることができるから、耐火性、耐久性、吸湿性、コストなど種々の面での要求に対応しながら改修工事を行うことができる。
【００２１】
また、棒体に不燃木材を用いれば耐火性が向上する。
【００２２】
また、板材に不燃性材料や難燃性材料を用いれば耐火性が向上する上に、棒体に不燃性ではない通常の安価な木材を用いることができるから、耐火性を高く維持しながらコストを低減できる。
【００２３】
また、棒体は矩形断面や正方形断面の棒体が一般的であるが、棒体はこれらの形状に限らず、例えば、丸材でもよい。
【００２４】
請求項４のコンクリート製集合住宅は、請求項３の構成と同等の効果が得られる。
【００２５】
また、小寸法棒体を連結手段で連結して棒体にする請求項４の構成では、この連結工事を室内で行うことが可能であるから、改修工事をさらに低コストで容易に行うことができる。
【００２６】
請求項５のコンクリート製集合住宅は、請求項３または請求項４の構成と同等の効果が得られる。
【００２７】
また、棒体をブラケット（固定手段）で構造水平梁部に固定する請求項５の構成では、棒体の固定工事を現場で行えるから、改修工事がさらに低コストで容易になる。
【００２８】
また、ブラケットによって棒体は強固に固定される。
【００２９】
請求項６のコンクリート製集合住宅は、請求項１〜請求項５の構成と同等の効果が得られる。
【００３０】
また、室領域内を木材製の室内壁で間仕切りする請求項６の構成では、新築時の間仕切り工事だけでなく、改装工事の間仕切りも低コストで容易に行える。
【００３１】
＜一実施形態＞
図１〜図４によってコンクリート製集合住宅１（本発明の一実施形態）の説明をする。
【００３２】
［コンクリート製集合住宅１の特徴］
コンクリート製集合住宅１は、垂直に立設された複数本のコンクリート製の構造垂直柱部３と、これらの構造垂直柱部３間を格子状に連結するコンクリート製の構造水平梁部５と、構造垂直柱部３と構造水平梁部５とで区画された左右、前後、上下の複数の室領域７の間に設けられた木製の壁体部９とからなり、
壁体部９は、上下の室領域７間を区画する上下壁１１と、左右の室領域７間を区画する左右壁１３と、前後の室領域７間を区画する前後壁１５であって、これら上下壁１１と左右壁１３と前後壁１５は木材で形成されており、
壁体部９が、複数本の棒材１７（棒体）と、これらの棒材１７に固定されて床部または天井部または左右前後壁部を形成する板材１９とからなり、
棒材１７は、複数本に分割された小寸法棒材２１（小寸法棒体）と、これらの小寸法棒材２１を連結する連結手段２３とからなり、
図３のように、棒材１７は、構造水平梁部５に固定手段を介して固定されており、この固定手段は、構造水平梁部５に固定されたブラケット２５と、ブラケット２５の挿入固定板部２６が挿入される棒材１７端部のスリット２７と、スリット２７に挿入された挿入固定板部２６を棒材１７に固定するボルト２９及びナット３１とからなることを特徴とする。
【００３３】
［コンクリート製集合住宅１の構成］
図１は、コンクリート製集合住宅１の一部を示しており、上記のように、コンクリート製集合住宅１は縦柱である構造垂直柱部３と横梁である構造水平梁部５とで基本的な構造を構成し、構造垂直柱部３と構造水平梁部５とで区画された室領域７に木製の壁体部９である上下壁１１と左右壁１３と前後壁１５を取り付けて各部屋を形成している。
【００３４】
また、板材１９を固定して壁体部９を構成する棒材１７は、複数本の小寸法棒材２１と、小寸法棒材２１を互いに連結する連結手段２３（ホームコネクター）とで構成されており、図４のように、連結手段２３は、中空のネジ状コネクター３３と、枝管３５とで構成されている。
【００３５】
小寸法棒材２１，２１の連結は下記のような手順で行われる。
【００３６】
（１）図４（ａ）のように、接合しようとする小寸法棒材２１，２１の接合面にコネクター３３を挿入するための穴３７，３７をあける。
【００３７】
（２）片側の小寸法棒材２１に枝管３５を挿入するための溝３９を加工する。
【００３８】
（３）図４（ｂ）のように、コネクター３３を小寸法棒材２１，２１の穴３７間に納め、小寸法棒材２１，２１間に開きが出ないように仮止めを行う。
【００３９】
（４）注入ガンを用いて枝管３５からコネクター３３に専用接着剤（ＡＨＣ）を加圧注入する。
【００４０】
（５）枝管３５の脇から接着剤が返流することを確認した後、枝管３５の取り外しを行う。
【００４１】
（６）枝管３５を取り外した後に、注入孔（溝３９）へ込み栓（木栓）を打ち込んで作業を完了する。
【００４２】
このように小寸法棒材２１を連結して構成された棒材１７に板材１９を固定して壁体部９である上下壁１１と左右壁１３と前後壁１５が構成されており、各壁１１，１３，１５の棒材１７（小寸法棒材２１）の端部を、図３のように、ブラケット２５とボルト２９とナット３１によって構造水平梁部５に固定し、各部屋（室領域７）が区画されている。なお、図２は、４方の構造水平梁部５側に、矢印４１のように、小寸法棒材２１をそれぞれ追加した例を示している。
【００４３】
また、各室領域７の内部は木材からなる室内壁で間仕切りすることが可能である。
【００４４】
また、小寸法棒材２１に不燃性の木材を用いれば耐火性が向上し、板材１９に不燃性材料や難燃性材料を用いれば耐火性が向上する上に、小寸法棒材２１に不燃性ではない通常の安価な木材を用いることが可能になる。
【００４５】
＜コンクリート製集合住宅１の効果＞
コンクリート製集合住宅１は次のような効果が得られる。
【００４６】
コンクリート製の構造垂直柱部３と構造水平梁部５とで構成した上下と左右と前後の各室領域７を木製の壁体部９で区画し各部屋を形成しており、木製の壁体部９は、工場で予め製造する必要がなく、現場で加工（組み立てまたは改修）することができる。
【００４７】
また、木製の壁体部９に手を入れるだけの改装工事は容易であり、例えば、隣接する部屋の間の改装工事、あるいは、左右や上下の部屋を繋げて１空間（１住戸）にするような改装工事でも容易に低コストで行うことができる。
【００４８】
また、木製の壁体部９には、不燃性の木材や通常の木材などを含む各種の木材を場所や用途やコストに応じて選択できるから、本発明による改装工事は自由度が極めて高く低コストである。
【００４９】
また、各従来例と異なって、長尺な鉄骨の搬入、鉄骨の加工、コンクリート製耐力壁の破壊などを伴う大掛かりな工事が不要であり、作業音の発生や粉塵の飛散が大幅に低減されるから、遮音や粉塵飛散防止のための遮蔽工事がそれだけ簡素化され、コストがさらに低減される。
【００５０】
また、棒体１７（２１）に板材１９を固定して壁体部９にする本発明では、棒体１７と板材１９の各材料をそれぞれ自由に選択して組み合わせることが可能であり、耐火性、耐久性、吸湿性、コストなど種々の面での要求に対応しながら改修工事を行うことができる。
【００５１】
また、棒体１７に不燃木材を用いれば耐火性が向上する。
【００５２】
また、板材１９に不燃性材料や難燃性材料を用いれば耐火性が向上する上に、棒体１７に不燃性ではない通常の安価な木材を用いることができるから、耐火性を高く維持しながらコストを低減できる。
【００５３】
また、小寸法棒体２１を連結手段２３で連結して棒体１７にする工事は室内で行うことが可能であるから、改修工事をさらに低コストで容易に行うことができる。
【００５４】
また、棒体１７をブラケット２５で構造水平梁部５に固定する固定工事は現場で行われるから、改修工事はさらに低コストで容易になる。
【００５５】
また、ブラケット２５によって棒体１７は強固に固定される。
【００５６】
また、各室領域７を木製の室内壁で間仕切りする場合は、新築時の間仕切り工事だけでなく、改装工事の間仕切りも低コストで容易に行える。
【図面の簡単な説明】
【００５７】
【図１】コンクリート製集合住宅１を示す分解斜視図である。
【図２】コンクリート製集合住宅１の天井部または床部を示す図面である。
【図３】棒材１７を構造水平梁部５に固定する固定手段を示す分解斜視図である。
【図４】（ａ）小寸法棒体２１，２１とその連結手段２３を示す図面である。
【００５８】
（ｂ）小寸法棒体２１，２１を連結手段２３で連結する途中の状態を示す断面図である。
【符号の説明】
【００５９】
１  コンクリート製集合住宅
３  構造垂直柱部
５  構造水平梁部
７  室領域
９  壁体部
１１  上下壁
１３  左右壁
１５  前後壁
１７  棒材（棒体）
１９  板材
２１  小寸法棒材（小寸法棒体）
２３  連結手段
２５  ブラケット
２７  スリット
２９  ボルト
【図１】
2007100357.tif 000003
【図２】
2007100357.tif 000004
【図３】
2007100357.tif 000005
【図４】
2007100357.tif 000006